(57)【要約】【課題】かご内に既に収容されている紙葉類を、わざわざ、かごから取り出すことなく、紙葉類計数機によって紙葉類を計数するまでの段階の作業時間を短縮すること。【解決手段】紙葉類計数機は、開口面２０ａを含む凹部２０を有する筐体１と、凹部２０内で延在する揺動軸１５を中心として開閉自在であり、当該揺動軸１５から延びる閉鎖面１０ｂと当該閉鎖面１０ｂから突出する突出部１０ａとを有する開閉部材１０と、を備えている。筐体１内には、束状になった紙葉類Ｐを保持するホルダ７０と、ホルダ７０に保持された紙葉類Ｐの１枚を吸着してめくり取る吸着ヘッド７１と、吸着ヘッド７１によって紙葉類Ｐがめくり取られたことを受けて、紙葉類Ｐを計数する計数手段７５と、が配置されている。開閉部材１０が開状態にあるときに突出部１０ａは上方に向かって突出し、開閉部材１０が閉状態にあるときに閉鎖面１０ｂによって凹部２０の開口面２０ａが覆われる。【選択図】図１
2009140080.tif 000002
【特許請求の範囲】
【請求項１】
外壁に開口面を含む凹部を有する筐体と、
前記凹部内で水平方向に延在する揺動軸を中心として開閉自在であり、当該揺動軸から延びる閉鎖面と当該閉鎖面から突出する突出部とを有する開閉部材と、
前記筐体内に配置され、束状になった複数の紙葉類を保持するホルダと、
前記ホルダに保持された紙葉類の１枚を吸着してめくり取る吸着ヘッドと、
前記吸着ヘッドによってめくり取られた紙葉類を計数する計数手段と、を備え、
前記開閉部材が開状態にあるときに前記突出部は上方に向かって突出し、前記開閉部材が閉状態にあるときに前記閉鎖面によって前記凹部の開口面が覆われることを特徴とする紙葉類計数機。
【請求項２】
前記凹部および前記開閉部材は、前記筐体の正面に設けられることを特徴とする請求項１に記載の紙葉類計数機。
【請求項３】
前記凹部および前記開閉部材は、前記筐体の正面と背面上方部に設けられることを特徴とする請求項１に記載の紙葉類計数機。
【請求項４】
前記凹部および前記開閉部材は、前記筐体の両側面に設けられることを特徴とする請求項１に記載の紙葉類計数機。
【請求項５】
前記凹部および前記開閉部材は、前記筐体の正面、背面上方部および両側面に設けられることを特徴とする請求項１に記載の紙葉類計数機。
【請求項６】
前記凹部に、上方側に凹み、把持可能となっている把持部材を設けたことを特徴とする請求項１に記載の紙葉類計数機。
【発明の詳細な説明】
【技術分野】
【０００１】
本発明は、束状に保持された紙葉類を１枚ずつめくりとって計数する紙葉類計数機に関連している。
【背景技術】
【０００２】
紙葉類束を挟持して計数するための従来の紙葉類計数機には、紙葉類を載置するための紙葉置台が設けられている（例えば、特許文献１）。そして、作業者は、まず、所定の場所から回収してかごに収容された紙葉類を、当該かごから取り出して紙葉類台に載置する。その後、作業者は、当該紙葉類を紙葉類計数機内のホルダにセットし、当該紙葉類計数機を用いて計数している。
【特許文献１】実公昭６３−０４７９４３号公報
【発明の開示】
【発明が解決しようとする課題】
【０００３】
しかしながら従来の方法では、上述のように、かご内に既に収容されている紙葉類を、わざわざ、かごから取り出して紙葉類台に載置する必要がある。このため、紙葉類計数機によって紙葉類を計数するまでの段階で、作業時間がかかっている。
【０００４】
本発明は、このような点を考慮してなされたものであり、かご内に既に収容されている紙葉類を、わざわざ、かごから取り出すことなく、紙葉類計数機によって紙葉類を計数するまでの段階の作業時間を短縮する紙葉類計数機を提供することを目的とする。
【課題を解決するための手段】
【０００５】
本発明による紙葉類計数機は、
外壁に開口面を含む凹部を有する筐体と、
前記凹部内で水平方向に延在する揺動軸を中心として開閉自在であり、当該揺動軸から延びる閉鎖面と当該閉鎖面から突出する突出部とを有する開閉部材と、
前記筐体内に配置され、束状になった複数の紙葉類を保持するホルダと、
前記ホルダに保持された紙葉類の１枚を吸着してめくり取る吸着ヘッドと、
前記吸着ヘッドによってめくり取られた紙葉類を計数する計数手段と、を備え、
前記開閉部材が開状態にあるときに前記突出部は上方に向かって突出し、前記開閉部材が閉状態にあるときに前記閉鎖面によって前記凹部の開口面が覆われる。
【０００６】
このような構成により、かご内に既に収容されている紙葉類を、わざわざ、かごから取り出す必要がなくなるため、紙葉類計数機によって紙葉類を計数するまでの段階の作業時間を短縮することができる。また、開閉部材が閉状態にあるときには、開閉部材の閉鎖面によって凹部の開口面が覆われるので意匠性を向上させることもできる。さらに、このような閉状態では、突出部が凹部内に収容されるので、安全性を確保することもできる。
【０００７】
本発明による紙葉類計数機において、前記凹部および前記開閉部材は、前記筐体の正面に設けられることが好ましい。
【０００８】
このような構成によって、紙葉類処理装置を移動させることなく、かごを開閉部材の突出部に引っかけることができるので、紙葉類処理装置を用いた計数処理の効率を向上させることができる。
【０００９】
本発明による紙葉類計数機において、前記凹部および前記開閉部材は、前記筐体の正面と背面上方部に設けられることが好ましい。
【００１０】
このような構成によって、計数対象である紙葉類が収容されたかご（計測準備用かご）と、計数された後の紙葉類を収容するためのかご（計測終了用かご）の両方を開閉部材に引っかけることができるため、紙葉類処理装置を用いた計数処理の効率を向上させることができる。
【００１１】
本発明による紙葉類計数機において、前記凹部および前記開閉部材は、前記筐体の両側面に設けられることが好ましい。
【００１２】
このような構成によって、計数対象である紙葉類が収容されたかご（計測準備用かご）と、計数された後の紙葉類を収容するためのかご（計測終了用かご）の両方を開閉部材に引っかけることができるため、紙葉類処理装置を用いた計数処理の効率を向上させることができる。
【００１３】
本発明による紙葉類計数機において、前記凹部および前記開閉部材は、前記筐体の正面、背面上方部および両側面に設けられることが好ましい。
【００１４】
このような構成によって、計数対象である紙葉類が収容されたかご（計測準備用かご）と、計数された後の紙葉類を収容するためのかご（計測終了用かご）の両方を開閉部材に引っかけることができるため、紙葉類処理装置を用いた計数処理の効率を向上させることができる。さらに、計測対象となる紙葉類が大量にある場合でも、適宜対応することができ、紙葉類処理装置を用いた計数処理の効率の向上を維持することができる。
【００１５】
本発明による紙葉類計数機において、前記凹部に、上方側に凹み、把持可能となっている把持部材が設けられていることが好ましい。
【００１６】
このような構成によって、紙葉類処理装置を容易に移動させることができ、例えば、開閉部材にかごを引っかける際に、紙葉類処理装置を広い空間まで容易に移動させることができる。
【発明の効果】
【００１７】
本発明によれば、開状態にあるときに上方に向かって突出する突出部を有する開閉部材が設けられているので、当該突出部にかごを引っかけることができる。このため、かご内に既に収容されている紙葉類を、わざわざ、かごから取り出すことなく、紙葉類計数機によって紙葉類を計数するまでの段階の作業時間を短縮することができる。
【発明を実施するための形態】
【００１８】
第１の実施の形態
以下、本発明に係る紙葉類計数機の実施の形態について、図面を参照して説明する。ここで、図１乃至図８は本発明の実施の形態を示す図である。
【００１９】
図１（ａ）（ｂ）および図３（ａ）（ｂ）に示すように、紙葉類計数機は、外壁に開口面２０ａを含む凹部２０を有する筐体１と、凹部２０内で水平方向に延在する揺動軸１５を中心として開閉自在であり、当該揺動軸１５から延びる閉鎖面１０ｂと当該閉鎖面１０ｂから突出する突出部１０ａとを有する開閉部材１０と、を備えている。また、筐体１の下端には、当該筐体１の移動を容易にするキャスタ５０が設けられている。なお、図３（ａ）（ｂ）は、本実施の形態による紙葉類処理装置の開閉部材と凹部の側方断面図である。
【００２０】
また、図１（ａ）（ｂ）に示すように、凹部２０および開閉部材１０は、筐体１の正面、背面上方部および両側面の四箇所に設けられている。そして、開閉部材１０が開状態にあるときに突出部１０ａは上方に向かって突出し（図３（ｂ）参照）、開閉部材１０が閉状態にあるときに閉鎖面１０ｂによって凹部２０の開口面２０ａが覆われるようになっている（図３（ａ）参照）。
【００２１】
このため、開閉部材１０が開状態にあるときには、各突出部１０ａに紙葉類（例えば、紙幣など）Ｐを収容するためのかご６０を引っかけることができる（図１（ｂ）および図２（ｂ）参照）。他方、このようにかご６０を引っかけない場合には、開閉部材１０の各々を閉状態とされる（図１（ａ）および図２（ａ）参照）。
【００２２】
また、図３（ａ）（ｂ）に示すように、揺動軸１５と開閉部材１０との間には、揺動板１９が設けられており、この揺動板１９の一端には後述する鋼球２６を挿入することができる鋼球挿入穴１６の設けられたストッパ板１８が設けられている。
【００２３】
他方、図３（ａ）（ｂ）および図６（ａ）（ｂ）に示すように、筐体１にはストッパ板１８の鋼球挿入穴１６内に挿入可能な鋼球２６が設けられており、この鋼球２６は背面から板バネ２１によって押圧されている。このため、図３（ａ）に示すように、開閉部材１０が閉状態にあるときには、ストッパ板１８に設けられた鋼球挿入穴１６に鋼球２６が挿入するようになっている（図６（ａ）参照）。なお、鋼球２６は、板バネ２１によって鋼球保持部材２２に対して押圧されている。ところで、図６（ａ）（ｂ）は、本実施の形態による紙葉類処理装置の板バネ２１および鋼球２６と、ストッパ板１８との関係を示した上方断面図である。
【００２４】
また、図４（ａ）（ｂ）および図５に示すように、開閉部材１０の正面には前方へ突出し凹部１１ａを形成した取手部１１が設けられている。なお、図４（ａ）は開閉部材１０を上方から見た上方平面図であり、図４（ｂ）は開閉部材１０を正面から見た正面図であり、図５は開閉部材１０の斜視図である。
【００２５】
また、図７に示すように、筐体１内には、束状になった複数の紙葉類Ｐを保持するホルダ７０と、当該ホルダ７０に保持された紙葉類Ｐの１枚を、吸着しかつ自転しながら公転することによってめくり取る複数の吸着ヘッド７１が配置されている。また、ホルダ７０には、ホルダ７０に保持された紙葉類Ｐを押さえるための押さえ棒７６も設けられている。なお、図７は、本実施の形態による紙葉類処理装置の計数機構を説明するための上方平面図である。
【００２６】
また、図７に示すように、ホルダ７０近辺には、ホルダ７０に保持された紙葉類Ｐの所定領域（図７のＱとＲの間）に照射光線Ｘを照射する発光器９１と、紙葉類Ｐの所定領域（図７のＱとＲの間）によって反射された照射光線（反射光）Ｙを受光する受光器９２が設けられている。
【００２７】
また、図７に示すように、ホルダ７０近辺には、紙葉類Ｐの異常が見つかった際に、紙葉類Ｐが吸着ヘッド７１によって吸着されてめくる取られることを防止するためのストッパ８３が設けられている。このストッパ８３は、ソレノイド８１によって支点８２を中心に揺動可能となっている。また、ストッパ８３には、当該ストッパ８３の動きを付勢するバネ８５が設けられている。
【００２８】
また、図７に示すように、各吸着ヘッド７１の近辺には、当該吸着ヘッド７１に対応した計数接点７３が設けられている。そして、この計数接点７３の周縁外方の一箇所に、計数用スイッチ（計数手段）７５が設けられている。
【００２９】
次に、このような構成からなる本実施の形態の作用について述べる。
【００３０】
まず、作業者が、計数対象である紙葉類Ｐが収容されたかご６０（以下、「計測準備用かご６０」と呼ぶ）を、紙葉類処理装置近辺まで持ってくる（図１（ａ）（ｂ）参照）。このとき、作業者は、紙葉類処理装置によって計数された後の紙葉類Ｐを収容するためのかご６０（以下、「計測終了用かご６０」と呼ぶ）も、持ってきている。
【００３１】
次に、作業者が、二つの開閉部材１０（例えば、向かって左側方の開閉部材１０と向かって右側方の開閉部材１０）の正面に設けられた取手部１１を把持することによって、開閉部材１０を開ける。ここで、取手部１１は前方へ突出し凹部１１ａを形成しているので、作業者は容易に取手部１１を把持することができ、開閉部材１０を容易に開けることができる（図４（ａ）（ｂ）および図５参照）。このとき、開閉部材１０は、揺動軸１５を中心に揺動して、開状態となる（図３（ｂ）参照）。
【００３２】
次に、作業者は、開閉部材１０の一つ（例えば、向かって左側方の開閉部材１０）に紙葉類Ｐを収容した計測準備用かご６０を引っかけ、別の開閉部材１０（例えば、向かって右側方の開閉部材１０）に計測終了用かご６０を引っかける（図１（ａ）（ｂ）および図２（ａ）（ｂ）参照）。
【００３３】
このとき、本実施の形態によれば、計測準備用かご６０内に既に収容されている紙葉類Ｐを、わざわざ、計測準備用かご６０から紙葉類Ｐを取り出す必要がない。このため、紙葉類計数機によって紙葉類Ｐを計数するまでの段階の作業時間を短縮することができる。
【００３４】
すなわち、従来であれば、計測準備用かご６０内に既に収容されている紙葉類Ｐを、わざわざ、計測準備用かご６０から取り出して紙葉類台に載置する必要があったのに対して、本実施の形態によれば、紙葉類Ｐを収容した計測準備用かご６０を、そのまま直接、開閉部材１０の突出部１０ａに引っかけるだけでよい。このため、計測準備用かご６０から紙葉類Ｐを取り出す作業を省略することができ、紙葉類計数機によって紙葉類Ｐを計数するまでの段階の作業時間を短縮することができる。
【００３５】
次に、作業者は、計測準備用かご６０内に収容されている束状の紙葉類Ｐを計測準備用かご６０から取り出して、当該紙葉類Ｐをホルダ７０によって保持させる（図７参照）。
【００３６】
次に、作業者がスタート釦８（図１（ａ）（ｂ）参照）を押すと、吸着ヘッド７１が自転しながら公転するとともに、ホルダ７０に保持された紙葉類Ｐの１枚を吸着してめくり取る（図７参照）。このように、吸着ヘッド７１が駆動されることによって、計数開始位置Ａにあった紙葉類Ｐが、一枚ずつ順に、計数終了位置Ｂまで移動される。
【００３７】
このとき、発光器９１から、ホルダ７０に保持された紙葉類Ｐの所定領域（図７のＱとＲの間）に向かって照射光線Ｘが照射され、受光器９２によって紙葉類Ｐの所定領域（図７のＱとＲの間）によって反射された照射光線（反射光）Ｙが受光される（図７参照）。
【００３８】
そして、計数用スイッチ７５の近傍を吸着ヘッド７１が通過することによって、ホルダ７０に保持された紙葉類Ｐの枚数が計数される（図７参照）。なお、計数対象である紙葉類Ｐの異常（例えば、紙葉類Ｐが紙幣であり、計数対象の紙幣が異金種である場合など）を検知したときには、制御部（図示せず）からの停止信号が計数用スイッチ７５に送られ、当該紙葉類Ｐの計数は停止される。このため、正常と判断された紙葉類Ｐのみが計数されることとなる。
【００３９】
このようにして、ホルダ７０に保持された束状の紙葉類Ｐの全てが計数され、全ての紙葉類Ｐが計数終了位置Ｂまで移動されると、作業者は、当該紙葉類Ｐを、紙葉類処理装置から取り出して計測終了用かご６０の中に収容する（図１（ａ）（ｂ）参照）。
【００４０】
このように、本実施の形態によれば、紙葉類処理装置によって計数された後の紙葉類Ｐを、直ちに、計測終了用かご６０の中に収容することができる。このため、紙葉類処理装置を用いた計数処理の効率を向上させることができる。
【００４１】
上述のような工程を繰り返して、計測準備用かご６０に収容されていた紙葉類Ｐの全ての計測が終了し、全ての紙葉類Ｐが計測終了用かご６０に移されると、作業者は、当該計測終了用かご６０を開閉部材１０から取り外す。
【００４２】
その後、作業者は、開閉部材１０を揺動軸１５を中心に揺動させて、凹部２０の開口面２０ａを閉鎖する（図３（ｂ）参照）。このとき、板バネ２１によって押圧された鋼球２６が鋼球挿入穴１６に挿入され、ストッパ板１８が鋼球２６を介した板バネ２１の付勢力によって固定される（図６（ｂ）参照）。
【００４３】
このように、本実施の形態によれば、紙葉類処理装置によって紙葉類Ｐを計数しない場合には、開閉部材１０の閉鎖面１０ｂによって凹部２０の開口面２０ａが覆われるので、紙葉類処理装置全体の意匠性を向上させることができる。さらに、このような閉状態では、突出部１０ａが凹部２０内に収容されるので、安全性を確保することもできる。
【００４４】
ところで、計測対象となる紙葉類Ｐが大量にあり、計測準備用かご６０が二つある場合には、開閉部材１０のうちの二つ（例えば、向かって左側方の開閉部材１０と、正面の開閉部材１０）に計測準備用かご６０を引っかけ、別の二つの開閉部材１０（例えば、向かって右側方の開閉部材１０と、背面上方部の開閉部材１０）に計測終了用かご６０を引っかければよい（図１（ｂ）参照）。
【００４５】
このように、本実施の形態によれば、開閉部材１０が正面、背面上方部および両側面の四箇所に設けられているので、計測対象となる紙葉類Ｐが大量にある場合でも、適宜対応することができ、紙葉類処理装置を用いた計数処理の効率の向上を維持することができる。
【００４６】
なお、凹部２０を、開口面２０ａより上方側に凹ませ把持可能とすることが好ましく、図８に示すように、当該凹部２０に、開口面２０ａより上方側に凹んだ把持部材５を設けることがさらに好ましい。このように凹部２０に把持部材５を設けることによって、紙葉類処理装置を移動させる際に、当該把持部材５を用いることができる。このため、紙葉類処理装置を容易に移動させることができ、例えば、両側方の開閉部材１０にかご６０を引っかける際や背面上方部の開閉部材１０にかご６０を引っかける際に、紙葉類処理装置を広い空間まで容易に移動させることができる。ところで、図８は、このような態様の紙葉類処理装置の把持部材５を斜め下方から見上げた斜視図である。
【００４７】
ところで、上記では、開閉部材１０と凹部２０が、筐体１の正面、背面上方部および両側面の四箇所に設けられている態様を用いて説明したが、これに限られない。例えば、筐体１の正面にだけ開閉部材１０と凹部２０を設けても良いし（図９（ａ）参照）、筐体１の正面と背面上方部の二箇所に開閉部材１０と凹部２０を設けても良いし（図９（ｂ）参照）、筐体１の両側面の二箇所に開閉部材１０と凹部２０を設けても良い（図９（ｃ）参照）。
【００４８】
なお、上述のように、筐体１の正面と背面上方部の二箇所に開閉部材１０と凹部２０を設けたり、筐体１の両側面の二箇所に開閉部材１０と凹部２０を設けたりすることによって、計測準備用かご６０と計測終了用かご６０の両方を開閉部材１０に引っかけることができるため、紙葉類処理装置を用いた計数処理の効率を向上させるうえでは好ましい。
【００４９】
他方、筐体１の正面に開閉部材１０と凹部２０が設けられている態様では、紙葉類処理装置を普段配置されている場所から移動させることなく、当該正面の開閉部材１０にかご６０を引っかけることができる。このため、紙葉類処理装置を移動させる手間が省け、紙葉類処理装置を用いた計数処理の効率を向上させることができる。
【図面の簡単な説明】
【００５０】
【図１】本発明の実施の形態による紙葉類処理装置の斜視図。
【図２】本発明の実施の形態による紙葉類処理装置の開閉部材にかごを引っかける態様を示した斜視図。
【図３】本発明の実施の形態による紙葉類処理装置の開閉部材と凹部の側方断面図。
【図４】本発明の実施の形態による紙葉類処理装置の開閉部材を上方から見た上方平面図と、当該開閉部材を正面から見た正面図。
【図５】本発明の実施の形態による紙葉類処理装置の開閉部材の斜視図。
【図６】本発明の実施の形態による紙葉類処理装置の板バネおよび鋼球と、ストッパ板との関係を示した上方断面図。
【図７】本発明の実施の形態による紙葉類処理装置の計数機構を説明するための上方平面図。
【図８】本発明の実施の形態の好ましい態様において設けられる把持部材を斜め下方から見上げた斜視図である。
【図９】本発明の実施の形態の変形例による紙葉類処理装置の斜視図。
【符号の説明】
【００５１】
１      筐体
５      把持部材
１０    開閉部材
１０ｂ  閉鎖面
１０ａ  突出部
１５    揺動軸
１６    鋼球挿入穴
１８    ストッパ板
２０    凹部
２０ａ  開口面
２１    板バネ
２６    鋼球
５０    キャスタ
６０    かご
７０    ホルダ
７１    吸着ヘッド
７５    計数用スイッチ（計数手段）
Ｐ      紙葉類
【図１】
2009140080.tif 000003
【図２】
2009140080.tif 000004
【図３】
2009140080.tif 000005
【図４】
2009140080.tif 000006
【図５】
2009140080.tif 000007
【図６】
2009140080.tif 000008
【図７】
2009140080.tif 000009
【図８】
2009140080.tif 000010
【図９】
2009140080.tif 000011